(57)【要約】【課題】トレイを取り外すことなく、収納部の収納空間を上下に最大限利用できるコンソールボックスを提供することである。【解決手段】上面が開放された収納部２２を持つボックス本体２０と、この収納部２２内の空間を上下に二分割する状態で設けられたトレイ６０とを備えたコンソールボックス１０であって、ボックス本体２０は、収納部２２の内壁に設けられてトレイ６０をスライド可能に支持する支持手段と、収納部２２の開放口２６を避けた位置に設けられてトレイ６０を格納することが可能な格納スペースとを備え、トレイ６０を支持手段に沿ってスライドさせることにより、このトレイ６０を格納スペースに導くことが可能に構成されている。【選択図】図３
2014088096.tif 000002
【特許請求の範囲】
【請求項１】
上面が開放された収納部を持つボックス本体と、この収納部内の空間を上下に二分割する状態で設けられたトレイとを備えたコンソールボックスであって、
前記ボックス本体は、前記収納部の内壁に設けられて前記トレイをスライド可能に支持する支持手段と、前記収納部の開放口を避けた位置に設けられて前記トレイを格納することが可能な格納スペースとを備え、前記トレイを前記支持手段に沿ってスライドさせることにより、このトレイを前記格納スペースに導くことが可能に構成されているコンソールボックス。
【請求項２】
請求項１に記載のコンソールボックスであって、
トレイを格納するボックス本体の格納スペースが、前記トレイのスライド方向に沿った水平の延長線上に位置し、かつ、少なくとも前記格納スペースの一部が前記ボックス本体と近接して設けられたカップホルダーの下部空間を含んでいるコンソールボックス。
【請求項３】
請求項１に記載のコンソールボックスであって、
トレイがそのスライド方向に関して湾曲状に曲がることが可能に構成され、
ボックス本体は、前記トレイを該ボックス本体の格納スペースに導く連通部を備え、
前記格納スペースは、前記ボックス本体の連通部から該ボックス本体の縦壁に沿って設けられているコンソールボックス。
【発明の詳細な説明】
【技術分野】
【０００１】
本発明は、車両用のコンソールボックスに関し、具体的には上面が開放された収納部を持つボックス本体と、この収納部の内部に設けられるトレイとを備えたコンソールボックスに関する。
【背景技術】
【０００２】
近年、車両内に搭載されるコンソールボックスのボックス本体は、大きな収容物を収容するための深い収納部を備えている。また、この深い収納部のスペースを有効に活用するために、収納部の内部にトレイを設けることが多い。このトレイは、比較的小さな物を対象とした小物入れとして便利である。
【０００３】
トレイには、ボックス本体からの取り外しが可能とされているものがある。また、特許文献１には、ボックス本体における収納部上面の開放口を開閉するコンソールドアの内側にトレイを組込んだ技術が開示されている。この技術では、コンソールドアをトレイと共に開閉し、あるいはトレイをボックス本体側に残してコンソールドアだけを開閉することができる。
【先行技術文献】
【特許文献】
【０００４】
【特許文献１】特開２００８−２７３２９２号公報
【発明の概要】
【発明が解決しようとする課題】
【０００５】
トレイは、小物を整理整頓するのに便利であるものの、それを設けることにより、収納部の収納空間を分割してしまうという嫌いがある。すなわち、トレイを設けることで、収納部全体を一つの収納空間として利用することができず、収納部に大きな物をしまえなくなる。
【０００６】
収納部からの取り外しが可能なトレイの場合、収納部からトレイを取り外すことで、収納空間を大きく確保することができる。しかしこの場合、取り外したトレイの置き場を別途確保する必要がある。
一方、特許文献１に開示されている技術では、コンソールドアをトレイと共に開閉することで、トレイの置き場を確保する必要はないものの、設計によってはトレイの分だけコンソールドアの厚みが増して収納部の空間が犠牲になる。また、コンソールドアの厚みを変えない設計としたときは、該コンソールドアを閉じた状態で収納部の内部にトレイが張り出し、収納する物が大きいと、コンソールドアを閉め切ることができない。
【０００７】
本発明は、このような課題を解決しようとするもので、その目的は、トレイを取り外すことなく、収納部の収納空間を上下に最大限利用できるコンソールボックスを提供することである。
【課題を解決するための手段】
【０００８】
本発明は、上記の目的を達成するためのものであって、以下のように構成されている。
請求項１に記載の発明は、上面が開放された収納部を持つボックス本体と、この収納部内の空間を上下に二分割する状態で設けられたトレイとを備えたコンソールボックスであって、前記ボックス本体は、前記収納部の内壁に設けられて前記トレイをスライド可能に支持する支持手段と、前記収納部の開放口を避けた位置に設けられて前記トレイを格納することが可能な格納スペースとを備え、前記トレイを前記支持手段に沿ってスライドさせることにより、このトレイを前記格納スペースに導くことが可能に構成されていることを特徴とする。
【０００９】
請求項２に記載の発明は、請求項１に記載のコンソールボックスであって、トレイを格納するボックス本体の格納スペースが、前記トレイのスライド方向に沿った水平の延長線上に位置し、かつ、少なくとも前記格納スペースの一部が前記ボックス本体と近接して設けられたカップホルダーの下部空間を含んでいることを特徴とする。
【００１０】
請求項３に記載の発明は、請求項１に記載のコンソールボックスであって、トレイがそのスライド方向に関して湾曲状に曲がることが可能に構成され、ボックス本体は、前記トレイを該ボックス本体の格納スペースに導く連通部を備え、前記格納スペースは、前記ボックス本体の連通部から該ボックス本体の縦壁に沿って設けられていることを特徴とする。
【発明の効果】
【００１１】
請求項１に記載の構成によれば、ボックス本体の収納部に位置しているトレイをスライドさせて格納スペースに格納することにより、トレイを取り外すことなく、収納部の開放口全域が開放された状態となり、収納部の収納空間を上下に最大限利用することができる。
請求項２に記載の構成によれば、ボックス本体と近接して設けられたカップホルダーの下部空間といった、いわばデッドスペースを少なくとも格納スペースの一部として利用でき、その分、格納スペースを設けることに伴うボックス本体の大型化を防止することができる。
請求項３に記載の構成では、トレイを格納する格納スペースがボックス本体の縦壁に沿って設けられていることから、トレイがスライドする水平の延長線上に十分な空スペースを確保するのが困難な場合に有効である。
【図面の簡単な説明】
【００１２】
【図１】コンソールボックスの外観斜視図
【図２】ボックス本体の外観斜視図
【図３】図１のIII−III矢視方向の断面図
【図４】図１のIV−IV矢視方向の断面図
【図５】図４の一部を表した拡大図
【図６】トレイの外観斜視図と変形例
【図７】実施例２に係る図１のIII−III矢視方向の断面図
【発明を実施するための形態】
【００１３】
以下、本発明を実施するための形態を、図面を用いて説明する。以下の説明においては、前、後、左、右、上、下、とは、コンソールボックスを車両に設置した時の前、後、左、右、上、下を指す。
[実施例１]
まず、図１〜６を用いて、実施例１を説明する。
【００１４】
＜全体の構成＞
図１に示すように、本実施例におけるコンソールボックス１０は、底が深いタイプであり、前後方向に長い略直方体よりなる。コンソールボックス１０の後面、側面、および上面前部は、カバー部材１２，１４，１５により覆われている。コンソールボックス１０の上面後部には、コンソールドア１６が設けられる。上面前部において、カバー部材１５には、カップホルダー１８a,１８bが設けられている。
【００１５】
コンソールボックス１０において、カバー部材１２，１４，１５およびコンソールドア１６の内側には、図２に示すボックス本体２０が備えられている。ボックス本体２０の内側は空洞であり、収納部２２とされる。ボックス本体２０は、直方体の上面を変形させた形状よりなり、上面前部が水平形状を保ったまま凸前面２８に相当する高さ分だけ下方に陥落し、上面前部に陥落面３０を形成している。ボックス本体２０の上面のうち、上方に突出した後方部分は、上に開放され、開放口２６となっている。
【００１６】
ボックス本体２０には、開放口２６の外周から水平外向きに広がる受け部４０が一体に成形されている。受け部４０には、それを覆うようにしてコンソールドア１６が設置される。ボックス本体２０の外壁に備えられた各種の取り付け部には、カバー部材１２，１４，１５が設置される。
【００１７】
ボックス本体２０は、左右対称であり、左半分と右半分とが別体として成形される。ボックス２０の左半分と右半分において、互いの接合箇所となる部位には、ボックス本体２０から直角外向きになるようにして接合部４２が個々に設けられている。両接合部４２に対してビス締結を行うことにより、ボックス本体２０は左右一体とされる。
【００１８】
＜トレイのスライド機構＞
図３乃至５に示すように、ボックス本体２０の内側には、開放口２６と略同程度の前後左右の幅を有する平板状のトレイ６０が設けられる。トレイ６０は、外周に沿って端壁部６２を有し、この端壁部６２に囲まれた広い領域は凹んでいる。
【００１９】
トレイ６０は、ボックス本体２０の陥落面３０（図３参照）の内壁に沿って前後方向にスライド可能に配設される。トレイ６０の高さ位置は、ボックス本体２０の左右の側面３２において、その内壁を伝って一定高さに設けられた支持手段５０により決定される（図４参照）。
【００２０】
図５に示すように、支持手段５０は、上下方向に所定長さ離して設けられる下側のトレイ受け部５０aと上側のトレイ押さえ部５０bとにより構成される。トレイ受け部５０aとトレイ押さえ部５０bは、共に、ボックス本体２０の側面３２の内壁からボックス本体２０の内側に向かう出っ張りよりなり、その出っ張りの長さは、トレイ受け部５０aのほうが、トレイ押さえ部５０bよりも長い。
【００２１】
トレイ受け部５０aは、ボックス本体２０の内側に向けて先が縮まる台形型の形状よりなる。ここで、トレイ受け部５０aの上面は、ボックス本体２０の側面３２の内壁と直交している。トレイ押さえ部５０bは、ボックス本体２０の内側に向けて滑らかに隆起した円形型の形状よりなる。
【００２２】
図５に示すように、トレイ受け部５０aおよびトレイ押さえ部５０bは、トレイ６０の側部付近に設けられる突起部６６および隆起部６８に当接することにより、トレイ６０を一定高さに固定する。突起部６６は、トレイ６０の底面において側端よりもやや内側に設けられ、前後に連続している。突起部６６は、トレイ受け部５０aの上面中央にて下から支持される。
【００２３】
隆起部６８は、トレイ６０の側面の中央やや下位置において、前後に連続しており、トレイ押さえ部５０bにより斜め上方から支持される。隆起部６８は、トレイ押さえ部５０bと略同様の大きさ、および形状をしている。そのため、トレイ押さえ部５０bと該隆起部６８とは、上下に折り重なる状態で係合する。
【００２４】
＜格納部の構成＞
図３に示されるように、ボックス本体２０の最前面３４の上部には、トレイ６０がボックス本体２０の内側から外側へスライドすることが可能となる連通部４４が設けられる。連通部４４は、以下のような構成により形成される。
【００２５】
まず、ボックス本体２０の最前面３４の上端には、折れ曲がり部３６を設けている。この折れ曲がり部３６は、ボックス本体２０の最前面３４の上部を、ほぼトレイ６０の厚さに相当する長さ分だけ、ボックス本体２０の内側にむけて直角に折り曲げて形成している。
【００２６】
一方、ボックス本体２０における陥落面３０の前端３０aは、折れ曲がり部３６の後端３６aの真上に位置している。ボックス本体２０の前方には、ボックス本体２０の陥落面３０と近接してカップホルダー１８a，１８bが前後に並んで設けられている。カップホルダー１８a，１８bのうち、後側のカップホルダー１８bの後端は、折れ曲がり部３６の上に位置している。ここで、カップホルダー１８bは、その底面の高さ位置が、陥落面３０の底面とほぼ同じ高さ位置となるようにして設けられている。
【００２７】
このようにして、折れ曲がり部３６と後側のカップホルダー１８bとの間には、連通部４４が設けられている。折れ曲がり部３６は、その上にトレイ６０があるとき、トレイ６０を下から支持することが可能とされている。
【００２８】
連通部４４を利用して、トレイ６０を前方にスライドさせ、開放口２６の全域をボックス本体２０の下面３８から上にむけて完全に開放させたとき、トレイ６０の前端は、後側のカップホルダー１８bの前端付近に到達する（図３参照）。このように、トレイ６０のスライド方向に沿った水平の延長線上に設けられる空間が、本実施例における格納スペースである。図３に示されるように、格納スペースの一部は、ボックス本体２０と近接して設けられたカップホルダー１８bの下部空間を含んでいる。
【００２９】
＜トレイの形態＞
上記したように、トレイ６０は、その外周に沿って端壁部６２を有する（図６参照）。トレイ６０の後端においては、端壁部６２と連結して、取っ手部６４が設けられている。図６の（a）に示す取っ手部６４は、トレイ６０の後辺中央部から形成され、該後辺からトレイ６０の前方に向かう台形型の形状よりなる。
【００３０】
取っ手部６４は、その外周と内周とを平行させて、所定幅を持つように構成されており、内周により凹部を取り囲んでいる。この所定幅とは、端壁部６２の横幅を基準として、それをやや伸縮させた距離幅である。この伸縮は、トレイ６０の見栄えや使いかってが向上することを、その変更の条件としている。図６の（a）では、取っ手部６４の台形底辺側において、取っ手部６４の幅を広くしている。また、取っ手部６４の台形頂辺側には、上方に向かう突端６４aを設けている。
【００３１】
図６の（b）に示すように、取っ手部６４の台形頂辺側の突端６４aを無い構成とすることも可能である。図６の（b）においては、取っ手部６４の台形頂辺側と底辺側の幅をやや狭くし、図６の（a）よりも凹部を広く設けている。
【００３２】
図６の（ｃ）に示す取っ手部６４は、左右に長い長方形型の形状よりなり、トレイ６０の左右の側辺に沿う端壁部６２と連結して設けられている。この構成によれば、図６の（a）や（b）よりも凹部がさらに広く設けられる。取っ手部６４と連結した左右の端壁部６２上には、端壁部６２と横幅を同じくした側壁部６４bが、取っ手部６４の前後距離分だけ、設けられている。
【００３３】
取っ手部６４は、トレイ６０をスライドさせる時のつまみとなる。図６の（a）に示す突端６４aが設けられる場合、突端６４aは、トレイ６０を格納スペースに押し入れる時のつまみとして便利である。また、突端６４aおよび側壁部６４bは、トレイ６０を格納するときのストッパーとなる。すなわち、トレイ６０をボックス本体２０の前方にスライドさせていくと、突端６４aおよび側壁部６４bの前面が、ボックス本体２０の凸前面２８の内壁とぶつかり、トレイ６０がそれ以上前方に移動することが無い。
【００３４】
＜トレイと収納部の使い方＞
図３に示すように、トレイ６０の後端を、ボックス本体２０の後面２４の位置まで目一杯に引き出すと、収納部２２を上下に２分割した状態で利用することができる。
【００３５】
トレイ６０を格納し、収納部２０を上下に深く利用するときは、トレイ２０の後端に設けられた取っ手部６４もしくは突端６４aに手をかけ、トレイ６０を前方にスライドさせれば良い。この時、トレイ６０は、ボックス本体２０の内壁を伝って設けられるトレイ受け部５０a上を水平に移動する。トレイ受け部５０aは、トレイ６０の底面に設けられる突起部６６を支持するため、トレイ６０とトレイ受け部５０aの接合面は小さい。それゆえ、トレイ６０の移動は円滑である。トレイ６０は、トレイ押さえ部５０bにより上から押さえ込まれているため、移動中に外れたり、がたついたりすることが無い。
【００３６】
トレイ６０の取って部６４に突端６４aもしくは側壁部６４bがついている場合、該突端６４aもしくは側壁部６４bはトレイ６０を格納するときのストッパーとなり、トレイ６０の後端が、ボックス本体２０の凸前面２８よりも前方にスライドすることを防止する。
【００３７】
再度トレイ６０を利用したいときには、取って部６４に手をかけ、トレイ６０を後方に引き出すことで、収納部２２の空間構造を変更できる。トレイ６０は、必ずしも、目一杯引き出す、もしくは、押入れた状態で使用する必要はなく、使用者の使い勝手により、前後方向の途中位置で留めて使用することもできる。
【００３８】
＜効果＞
本実施形態に係るコンソールボックス１０は、上記のように構成されている。この構成によれば、ボックス本体１０の収納部２２に位置しているトレイ６０をスライドさせて格納スペースに格納することにより、トレイ６０を取り外すことなく、収納部２２の開放口２６全域が開放された状態となり、収納部２２の収納空間を上下に最大限利用することができる。
【００３９】
また、この構成によれば、ボックス本体２０と近接して設けられたカップホルダー１８bの下部空間といった、いわばデッドスペースを少なくとも格納スペースの一部として利用でき、その分、格納スペースを設けることに伴うボックス本体２０の大型化を防止することができる。
【００４０】
本実施形態では、ボックス本体２０の左右を別体とし、成形段階でボックス本体２０にトレイ受け部５０aとトレイ押さえ部５０bとを設けている。そのため、ボックス本体２０の左右を一体に組み付けるときに、トレイ６０を左右から挟み込むことによりトレイ受け部５０aとトレイ押さえ部５０bとの間にトレイ６０の両端を位置させることができる。このように、本実施形態では、支持手段５０とトレイ６０の設置に手間がかからない。
これに対し、一体成形タイプのボックス本体の場合、支持手段は、ボックス本体の成形後に取り付けられ、それと同時にトレイが組み入れられる。具体的には、ボックス本体とは別に成形した支持手段をトレイの両端に組み付けた状態で、それらをボックス本体の内部に入れ、支持手段をボックス本体の内壁に接着するといった煩雑な作業を要する。
【００４１】
[実施例２]
次に、図７を用いて、実施例２を説明する。実施例２は、トレイがスライドする水平の延長線上に十分な空スペースを確保するのが困難な場合に有効である。
【００４２】
＜構成＞
本実施例では、上記の実施例１で説明したコンソールボックスの構成が一部異なるようにしたものであり、その異なる部分についてのみ以下に説明する。
図７では、ボックス本体１２０を、上下に深い直方体の形状としている。ボックス本体１２０の上面は開放口１２６とされ、ボックス本体１２０の内側は収納部１２２とされている。
【００４３】
トレイ１６０は、そのスライド方向に関して湾曲上に曲がることが可能とされている。このトレイ１６０は複数の板体１６９よりなり、各板体１６９は、隣接する板体１６９との間で互いに連結して形成されている。トレイ１６０の前端において、端壁部１６２は、その厚みが前方に向けて薄くなる形状とされている。
【００４４】
ボックス本体１２０の前面１２８には、細長の前頭部１５２が上下に設けられる。前頭部１５２の内周１５２aは、上下逆さで斜めに傾いたJ字型の形状よりなる。J字直線部の先端は、ボックス本体１２０の前面１２８下部に設けられる出口部１５６の上端と連結している。J字曲線部の先端は、ボックス本体１２０の前面１２８に設けられる入口部１５４の下端と連結している。ここで、入口部１５４は、ボックス本体１２０の前面１２８おいて、トレイ１６０が配設される高さ位置に設けられている。
【００４５】
前頭部１５２の外周１５２bは、その内周１５２aが直線となる部分において、内周１５２aと平行している。一方、前頭部１５２の外周１５２bは、その内周１５２aが曲線となる部分において、内周１５２aと分立し、上下前後に屈曲したL字型の形状よりなる。前頭部１５２の外周１５２bは、入口部１５４において、ボックス本体１２０の前面１２８と直交している。
【００４６】
前頭部１５２の内側は、空洞であり、ボックス本体１２０の前面１２８に設けられる入口部１５４と出口部１５６を通じて、収納部１２２とつながっている。本実施例では、前頭部１５２の内側が、トレイ１６０の格納スペースとなる。また、ボックス本体１２０の前面１２８に設けられる入口部１５４が、トレイ１６０を格納スペースに導く連通部となる。
【００４７】
図７に示すように、トレイ１６０の上部に底の浅いトレイ１８０を設けることもできる。
【００４８】
＜効果＞
本実施形態に係るコンソールボックス１１０は、上記のように構成されている。この構成によれば、ボックス本体１２０の収納部１２２に位置しているトレイ１６０をスライドさせて格納スペースに格納することにより、トレイ１６０を取り外すことなく、収納部１２２の開放口１２６全域が開放された状態となり、収納部１２２の収納空間を上下に最大限利用することができる。
【００４９】
ボックス本体１２０の前面１２８には、出口部１５６が設けられているため、トレイ１６０上に収納物を置いたまま、トレイ１６０を前頭部１５２に押し入れた場合であっても、収納物が出口部１５６から戻って来る。また、前頭部１５２の入口部１５４付近では、前頭部１５２の内周１５２aと外周１５２bとが分立しおり、トレイ１６０と前頭部１５２の外周１５２bとの間に摩擦が生じない。
【００５０】
以上、本発明を上記２つの実施形態により説明してきたが、本発明の技術的範囲はそれらの実施形態に限定されるものではない。
【符号の説明】
【００５１】
１０   コンソールボックス
１２   カバー部材
１４   カバー部材
１５   カバー部材
１６   コンソールドア
１８a  カップホルダー
１８b  カップホルダー
２０   ボックス本体
２２   収納部
２４   後面
２６   開放口
２８   凸前面
３０   陥落面
３０a  前端
３２   側面
３４   最前面
３６   折れ曲がり部
３６a  後端
３８   下面
４０   受け部
４２   接合部
４４   連通部
５０   支持手段
５０a  トレイ受け部
５０b  トレイ押さえ部
６０   トレイ
６２   端壁部
６４   取っ手部
６４a  突端
６４b  側壁部
６６   突起部
６８   隆起部
１１０ コンソールボックス
１２０ ボックス本体
１２２ 収納部
１２６ 開放口
１２８ 前面
１５２ 前頭部
１５２a       内周
１５２b       外周
１５４ 入口部
１５６ 出口部
１６０ トレイ
１６２ 端壁部
１６９ 板体
１８０ トレイ
【図１】
2014088096.tif 000003
【図２】
2014088096.tif 000004
【図３】
2014088096.tif 000005
【図４】
2014088096.tif 000006
【図５】
2014088096.tif 000007
【図６】
2014088096.tif 000008
【図７】
2014088096.tif 000009